(57)【要約】【課題】  特殊な工程を必要とすることなく製造できると共に偽造し難く、しかもカードリーダー等の判別手段の小型化・低コスト化を図れる記録媒体を提供する。【解決手段】  基材２上に、磁気情報が記録される記録部と、低抗磁力の磁性粒子７がランダムに分布されているセキュリティー部６とを少なくとも備えたことにより、上記課題を解決した。セキュリティー部６には、大きさや形状の異なる低抗磁力の磁性粒子７が分布されていることが好ましい。また、基材２上に、高抗磁力の磁気記録層３を備え、磁気記録層３にセキュリティー部６が形成されていることが好ましい。【選択図】        図１  
2005129183.tif 000002
【特許請求の範囲】
【請求項１】
基材上に、情報が記録される記録部と、低抗磁力の磁性粒子がランダムに分布されているセキュリティー部とを少なくとも備えたことを特徴とする記録媒体。
【請求項２】
前記低抗磁力の磁性粒子が、大きさや形状の異なる磁性粒子であることを特徴とする請求項１に記載の記録媒体。
【請求項３】
前記基材上に、高抗磁力の磁気記録層を備え、該磁気記録層に前記セキュリティー部が形成されていることを特徴とする請求項１又は２に記載の記録媒体。
【請求項４】
前記セキュリティー部が、非磁性材料に前記低抗磁力の磁性粒子が混入されてなることを特徴とする請求項１又は２に記載の記録媒体。
【請求項５】
前記請求項１乃至４のいずれか１項に記載の記録媒体のセキュリティー部を、低抗磁力を検知する低抗磁力検知手段で走査して記録媒体固有のデータを作成し、このデータを該記録媒体の記録部に記録して固有のデータが記録された記録媒体を発行し、記録媒体を使用するとき、該記録媒体のセキュリティー部を低抗磁力検知手段により走査して記録媒体固有のデータを作成し、この使用時のデータと記録部に記録されている発行前の固有のデータとを比較して記録媒体が真正か不正かを判別することを特徴とする記録媒体の判別方法。
【請求項６】
前記請求項１乃至４のいずれか１項に記載の記録媒体のセキュリティー部を走査してランダムに分布されている低抗磁力の磁性粒子を検知する低抗磁力検知手段と、検知された信号をコード化して記録媒体固有のデータとする変換手段と、コード化されたデータを前記記録媒体の記録部に記録するか、またはその記録部に記録されたデータを読み取る記録・読取手段と、該記録・読取手段により読み取ったデータ及び前記変換手段によりコード化されたデータを比較して記録媒体が真正か不正かを判別する判別手段と、を備えたことを特徴とするカードリーダ。
【発明の詳細な説明】
【技術分野】
【０００１】
本発明は、記録媒体、記録媒体の判別方法及びカードリーダに関するものである。
【背景技術】
【０００２】
クレジットカード、キャッシュカード、プリペイカードなどの磁気カード等の記録媒体は、生活に欠かせないものとなってきており、記録媒体のセキュリティの確保、すなわち、偽造・改ざん等を防止するために様々な試みがなされている（例えば、特許文献１、２、３参照。）。
【０００３】
特許文献１には、ランダムに分布する金属ファイバが埋設された基材と、基材上に設けられ、金属薄膜層の存在する部分と存在しない部分とを混在させた混在領域とを有するカードが記載されている。このカードは、ランダムに分布する金属ファイバと混在領域とからカード固有の識別データが得られるため、混在領域をマイクロ波センサでスキャンして、マイクロ波センサからの信号をデータとしてカードの磁気トラックに書き込んで発行できる。この発行されたカードを使用するときには、混在領域がマイクロ波センサでスキャンされて、このマイクロ波センサからの信号に基づくデータと磁気トラックに書き込まれたデータとが比較されて、カードが真正のものか不正のものか判別される。
【０００４】
特許文献２には、磁性ポリマー混入層を設けたカード（被検出物）が記載されている。磁性ポリマー混入層は、磁性ポリマー素子を紙又は合成樹脂製の基材にランダムに多数分布させたものであり、磁性ポリマー素子の分布状態がカード毎に異なったものとなる。このため、カードの走査領域をＭＲ素子でスキャンして、ＭＲ素子で読み出された信号をデータとしてカードのコード表示部に書き込み、カードを発行する。この発行されたカードを使用するときには、走査領域がＭＲ素子でスキャンされて、このＭＲ素子で読み出された信号に基づくデータと磁気トラックに書き込まれたデータとが比較されて、カードが真正のものか不正のものか判別される。
【０００５】
特許文献３では、金属片や金属粉等の他物質がランダムに混入された中間材を設けたカード（被検出物）が記載されている。中間材は、金属片や金属粉等の他物質をランダムに分布させたものであり、他物質の分布状態がカード毎に異なったものとなる。このため、カードに透過式光センサの光を照射すると共に、カードを透過した光をフォトトランジスタで受光すると、光は他物質を透過しないので、カード毎に異なる固有のデータが得られる。このデータを、カードの磁気ストライプに磁気信号として書き込み、カードを発行する。この発行されたカードを使用するときには、カードを発行したときと同様にカードに透過式光センサの光を照射すると共に、カードを透過した光をフォトトランジスタで受光し、このフォトトランジスタからの信号に基づくデータと磁気トラックに書き込まれたデータとが比較されて、カードが真正のものか不正のものか判別される。
【特許文献１】特許第３２２１６２６号公報
【特許文献２】特許第２８２１３６７号公報
【特許文献３】特開平６−１７９２９６号公報
【発明の開示】
【発明が解決しようとする課題】
【０００６】
しかしながら、前記特許文献１に記載されているカードは、カードが真正のものか不正のものかを判別するのにマイクロ波を用いるために、マイクロ波束を計測するときに外部ノイズの影響を受けやすい。また、マイクロ波を発振するため、ノイズ源になることも考えられる。さらに、マイクロ波の発信器及び受信器は一般に大型でありコストも高い。また、混在領域は、熱溶融型塗膜層を基材上に設けて金属薄膜層の一部を加熱により溶融させて形成されるため、カードコストが非常に高くなる。
【０００７】
また、前記特許文献２に記載されているカードは、高価な磁性ポリマー素子を用いると共に、その磁性ポリマー素子を製造する工程、すなわち、高分子材料からなる繊維状の素子本体に磁性金属粉を含ませた磁性ポリマー素子を製造する工程が必要になるので、カードコストが非常に高くなると共に、製造工程が複雑になる。
【０００８】
また、前記特許文献３に記載されているカードは、カードが真正のものか不正のものかを判別するのに一般的な透過式光センサを用いるため、偽造を試みる者が金属等の多物質の配列を本物と同じようにすることで、比較的容易に偽造されてしまう可能性がある。
【０００９】
本発明は、前述した問題を解決するためになされたものであって、本発明の第１の目的は、特殊な工程を必要とすることなく製造できると共に偽造し難く、しかもカードリーダー等の判別手段の小型化・低コスト化を図れる記録媒体を提供することにある。本発明の第２の目的は、記録媒体が真正のものか不正のものかを判別できる記録媒体の判別方法を提供することにある。本発明の第３の目的は、小型化・低コスト化を図れるカードリーダを提供することにある。
【課題を解決するための手段】
【００１０】
前記第１の目的を達成する本発明の記録媒体は、基材上に、情報が記録される記録部と、低抗磁力の磁性粒子がランダムに分布されているセキュリティー部とを少なくとも備えたことを特徴とする。
【００１１】
この発明によれば、セキュリティー部は、低抗磁力の磁性粒子がランダムに分布されているので、記録媒体毎に異なったものとなる。このため、その記録媒体毎に異なる固有データを、例えば、カードリーダ等を用いて記録部に予め記録させておけば、本発明の記録媒体を使用するとき、例えばカードリーダ等で読み出したデータと予め記録させたデータとを比較することにより、記録媒体が真正か不正かを例えばカードリーダ等によって容易に判別できる。
【００１２】
また、低抗磁力の磁性粒子は安価であるので、本発明の記録媒体のコストを抑えられる。また、低抗磁力の磁性粒子を検出する検知手段としては、外部ノイズの影響を受け難く、小型でコストも安い抗磁力センサ等を用いることができる。また、本発明の記録媒体は、低抗磁力の磁性粒子を用いているため、検知手段としては抗磁力センサ等に限られるので、他の手段で偽造や改ざんをすることが略不可能なものである。
【００１３】
本発明の記録媒体において、（ａ）前記低抗磁力の磁性粒子が、大きさや形状の異なる磁性粒子であること、（ｂ）前記基材上に、高抗磁力の磁気記録層を備え、該磁気記録層に前記セキュリティー部が形成されていること、（ｃ）前記セキュリティー部が、非磁性材料に前記低抗磁力の磁性粒子が混入されてなること、が好ましい。
【００１４】
前記第２の目的を達成する本発明の記録媒体の判別方法は、前記の記録媒体のセキュリティー部を、低抗磁力を検知する低抗磁力検知手段で走査して記録媒体固有のデータを作成し、このデータを該記録媒体の記録部に記録して固有のデータが記録された記録媒体を発行し、記録媒体を使用するとき、該記録媒体のセキュリティー部を低抗磁力検知手段により走査して記録媒体固有のデータを作成し、この使用時のデータと記録部に記録されている発行前の固有のデータとを比較して記録媒体が真正か不正かを判別することを特徴とする。
【００１５】
この発明によれば、記録媒体毎に異なる記録媒体固有のデータを記録部に記録させて記録媒体を発行し、この記録媒体を使用するときに、使用時のデータと発行前のデータとを比較して記録媒体が真正か不正かを判別する。従って、前記本発明の記録媒体が真正か不正かを容易に判別できる。
【００１６】
前記第３の目的を達成する本発明のカードリーダは、前述した本発明の記録媒体のセキュリティー部を走査してランダムに分布されている低抗磁力の磁性粒子を検知する低抗磁力検知手段と、検知された信号をコード化して記録媒体固有のデータとする変換手段と、コード化されたデータを前記記録媒体の記録部に記録するか、またはその記録部に記録されたデータを読み取る記録・読取手段と、該記録・読取手段により読み取ったデータ及び前記変換手段によりコード化されたデータを比較して記録媒体が真正か不正かを判別する判別手段とを備えたことを特徴とする。
【００１７】
この発明によれば、本発明の記録媒体毎に異なる低抗磁力の磁性粒子の分布状態が低抗磁力検知手段により検知され、この検知値に基づいて記録媒体固有のデータが記録・読取手段により記録部に記録される。また、記録・読取手段により記録部に記録されたデータを読み取り、この読み取った発行前の固有のデータと低抗磁力検知手段により検知した値に基づいた使用時のデータとが判別手段により比較されて記録媒体が真正か不正かが判別される。このように、本発明のカードリーダは、低抗磁力検知手段を備えて記録媒体固有のデータを検出するので、小型化及び低コスト化を図れることになる。
【発明の効果】
【００１８】
以上説明したように、本発明の記録媒体によれば、低抗磁力の磁性粒子の分布状態が記録媒体毎に異なったものとなるので、カードリーダ等により予め記録させた発行前のデータと使用時に読み出したデータとを比較することにより、記録媒体が真正か不正かが容易に判別される。また、低抗磁力の磁性粒子を用いているため、記録媒体のコストを抑えられると共に、小型で安価な抗磁力センサ等の検知手段を用いることができ、かつ、極めて高いセキュリティが確保できる。
【００１９】
本発明の記録媒体の判別方法によれば、本発明の記録媒体が真正のものか不正のものかを容易に判別できる。また、本発明のカードリーダによれば、小型化及び低コスト化を図れる。
【発明を実施するための最良の形態】
【００２０】
以下、本発明の記録媒体、記録媒体の判別方法及びカードリーダを添付図面に基づいて詳述する。
【００２１】
（記録媒体）
図１及び図２は、本発明の記録媒体の例が示されている図である。図１及び図２に示すように、本発明の記録媒体１は、基材２上に、情報が記録される記録部（図３参照）５と、低抗磁力の磁性粒子（以下、「低抗磁力粒子」という。）７がランダムに分布されているセキュリティー部６とを少なくとも備えたものである。
【００２２】
基材２は、一般の磁気記録媒体に使用されている材料からなり、その材料としては、用途に応じて異なるが、例えば、ポリエステル樹脂、ポリアミド系樹脂、ポリオレフィン系樹脂、ビニル系樹脂、アクリル系樹脂、イミド系樹脂、エンジニアリング樹脂、スチレン系樹脂等が挙げられる。これらの材料を例えばフィルム状またはシート状に成形することにより、図３に示すように、略矩形状の基材２が得られる。基材２は、単層であってもよいし、複数の層からなるものであってもよい。基材２は、例えば、記録媒体１がカードとして使用できる剛性を少なくとも有する厚さに形成されている。
【００２３】
基材２の一方の表面上には、図１乃至図３に示すように、その表面全体を覆うように磁気記録層３が設けられていると共に、他方の表面上には、その表面全体を覆うように任意の文字、図形、模様等を印刷した印刷層４が設けられている。
【００２４】
磁気記録層３の抗磁力は、記録したデータの保護の観点やＪＩＳ・ＩＳＯ等の規格から２５００〜４２００（Ｏｅ）の高抗磁力、例えば、２７５０（Ｏｅ）であることが好ましい。磁気記録層３の抗磁力については、クレジット機能、キャッシュ機能などの機能によって、ＪＩＳやＩＳＯで抗磁力等が規格されている。このため、磁気記録層３の磁性材料は規格に適合する磁性材料が適宜選択される。
【００２５】
磁気記録層３は、例えば、選択された磁性材料を樹脂バインダーと共に溶剤に添加し混練して磁気塗料を得て、さらにその磁気塗料をコーティング法等によって塗布乾燥して形成されたり、印刷等により形成されたりする。
【００２６】
磁性材料としては、例えば、Ｆｅ２Ｏ３系、Ｆｅ３Ｏ４、Ｆｅ、Ｆｅ−Ｃｒ、Ｆｅ−Ｃｏ、Ｃｏ−Ｃｒ、Ｃｏ−Ｎｉ、Ｂａフェライト、Ｓｒフェライトなどの金属あるいは合金、又はその酸化物等の磁性微粒子が挙げられる。これらの磁性材料は、単独又は適宜組合わせたりして、得られる磁気記録層３の抗磁力が、例えば、２７５０（Ｏｅ）に調整される。
【００２７】
樹脂バインダーとしては、磁気記録層の形成用材料として用いられているものであればどのようなものでもよく、例えば、ブチラール樹脂、塩化ビニル−酢酸ビニル共重合体樹脂、ウレタン樹脂、ポリエステル樹脂、セルロース樹脂、アクリル樹脂、スチレン−マレイン酸共重合体樹脂等が挙げられる。磁気記録層３の厚さは、一般に知られている磁気記録媒体に設けられている磁気記録層の膜厚と略同じ厚さである。
【００２８】
記録部５は、コード化された媒体固有のデータ（情報）を記録するものである。記録部５は、例えば、磁気記録層３の一部であって略矩形状の基材２（記録媒体１）の長手方向に（長辺に対して平行に）延びる略矩形細長状に形成された磁気トラックであり、例えば後述する磁気ヘッドによりデータの記録（書き込み）又は読み取りが行われる箇所である。なお、記録部５は、磁気トラックに限定されるものではなく、例えば、印字ヘッドを用いて光学的にデータの読み取り可能な標識及びコード（バーコードや二次元バーコード、ＯＣＲ文字等）であってもよいし、コードが記録されて、暗号コードにしたがって順番にスタンプされるホログラムであってもよい。また、記録部５の代わりに、カードリーダ等が電気的に接続されているホストコンピュータ等のメモリを用いてもよい。
【００２９】
セキュリティー部６は、基材２上の記録部５とは異なる箇所に形成されている層状のものである。このセキュリティー部６は、例えば、記録部５に対して平行に延びる略細長の矩形状に形成されている。
【００３０】
セキュリティー部６は、磁気記録層３の一部に形成されてもよいし、磁気記録層３の上層に形成されてもよい。また、セキュリティー部は、磁気記録層が基材２上の一部に形成されている場合には、基材２上の磁気記録層とは異なる箇所に形成してもよい。
【００３１】
セキュリティー部６は、記録媒体１毎に異なったものとなるように、低抗磁力粒子７が例えば高抗磁力の中又は非磁性材の中にランダムに分布されて形成されている。なお、本発明における低抗磁力とは、抗磁力が１０００（Ｏｅ）以下であることをいう。
【００３２】
低抗磁力粒子７は、粒子の大きさ・形状が略同じものであってもよいが、記録媒体１毎により確実に異なったものとなるように、粒子の大きさ・形状が異なる粒子であることが好ましい。また、低抗磁力粒子７は、粒子の大きさ・形状が略同じものと粒子の形状・大きさが異なるものとが混在するものでもよい。
【００３３】
セキュリティー部６は、低抗磁力粒子７がランダム状に分布されていればどのように形成してもよく、例えば、磁気記録層３を形成する際に、磁気記録層３を形成する磁気塗料全体に低抗磁力粒子７を混入して形成してもよいし、また、磁気記録層３を形成する磁気塗料のセキュリティー部６を含む一部に低抗磁力粒子７を混入して形成してもよい。
【００３４】
セキュリティー部６を磁気記録層３の上層に形成する場合には、図２に示すように、セキュリティー部６を低抗磁力層８として形成する。
【００３５】
低抗磁力層８は、例えば、低抗磁力粒子を検知する低抗磁力検知手段として抗磁力センサ２１を用いて走査（スキャン）したとき、抗磁力センサ２１からの出力信号が記録媒体１固有のアナログ波形になるならばどのように形成してもよい。低抗磁力層８は、例えば、前記の低抗磁力粒子７と同じ低抗磁力粒子を非磁性樹脂バインダーと共に溶剤に添加し混練（混入）して得た磁気塗料をコーティング法等によって塗布乾燥して形成されたり、印刷等により形成されたりする。
【００３６】
なお、セキュリティー部６は、低抗磁力粒子７がランダムに分布されて形成されているが、低抗磁力粒子７を規則正しく分布して形成してもよく、この場合、低抗磁力粒子７として、粒子の大きさ・形状が異なるものを用いるようにする。
【００３７】
磁気記録層３上（磁気記録層３上に低抗磁力層８が形成されている場合には、低抗磁力層８上又は低抗磁力層８及び磁気記録層３上）には、保護層（図示せず）が形成されている。
【００３８】
保護層は、磁気記録層３（低抗磁力層８等）を保護するものであり、例えば、アクリル系、エポキシ系、ポリエステル系の紫外線硬化型樹脂や電子線硬化型樹脂等を用いて形成できる。なお、保護層を形成する際に、保護層を形成する表面が凹凸になっている場合には、表面が略平面状になるように保護層を形成することが好ましい。
【００３９】
また、保護層上には、必要に応じて任意の文字、図形、模様等を印刷した印刷層（図示せず）を設けてもよい。
【００４０】
このように、本発明の記録媒体１は、図１及び図２に示すように、低抗磁力粒子７がランダムに分布されたセキュリティー部６を備えるので、低抗磁力粒子７の分布状態が記録媒体１毎に異なったものとなる。このとき、低抗磁力粒子７が粒子の大きさ・形状が異なるものであると、より一層低抗磁力粒子７の分布状態が記録媒体１毎に異なったものとなる。このため、記録媒体１が真正か不正かを例えばカードリーダ等によって容易にしかも確実に判別できる。
【００４１】
例えば、低抗磁力粒子を検出する低抗磁力検知手段として抗磁力センサ２１を用いてセキュリティー部６を走査（スキャン）すると、抗磁力センサ２１からの出力信号は、図４に示すように、振幅幅及び振幅範囲が異なる記録媒体１固有のアナログ波形になる。すなわち、本発明において低抗磁力粒子７がランダムに分布されているとは、例えば抗磁力センサ２１を用いてセキュリティー部６を走査（スキャン）したときの抗磁力センサ２１からの出力信号のアナログ波形の振幅幅及び振幅範囲が記録媒体１毎に異なることをいう。
【００４２】
抗磁力センサ２１からの記録媒体毎１に異なる固有データ（アナログ波形）を、例えば、サンプリング００、０１、０２、０３・・・して、コード化して記録部５に予め記録させておけば、記録媒体１を使用するとき、使用時に読み取ったデータと記録させたデータとを比較することにより、記録媒体１が真正か不正かを判別できる。
【００４３】
また、本発明の記録媒体１は、セキュリティー部６を磁気記録層３を利用して形成するか又は磁気記録層３の上層に低抗磁力層８として形成するので、基材２は既存のものをそのまま使用することができる。このように、本発明の記録媒体１は、カード基材（原反）を変更することなく、印刷等によってセキュリティー部６を形成することで製造することができるので、コストを抑えられる。
【００４４】
（記録媒体の判別方法及びカードリーダ）
次に、本発明の記録媒体について、本発明のカードリーダを用いて新規カードの発行、及びカード使用時のカードの判別方法について説明する。なお、本発明の記録媒体として磁気記録層３を有するカード１を用いた場合について説明する。
【００４５】
図５は本発明のカードリーダの一例を示す構成図である。
【００４６】
図５に示すように、本発明のカードリーダ２０は、カード１のセキュリティー部６を走査してカード固有の低抗磁力粒子７の分布状態を検知する低抗磁力検知手段（抗磁力センサ２１）と、検知された信号をコード化してカード固有のデータとする変換手段２２と、コード化されたデータをカードの記録部５に記録する（書き込む）か、またはその記録部５に記録されたデータを読み取る記録・読取手段（磁気ヘッド２３）と、磁気ヘッド２３により読み取ったデータと変換手段２２によりコード化されたデータとを比較してカード１が真正か不正かを判別する判別手段２４とを備えたものである。
【００４７】
カードリーダ２０の本体３１には、カード搬送路３２に通じるカード挿入口３３が設けられている。カード挿入口３３は、カード１をその長手方向にのみ挿入するように形成されており、このカード挿入口３３から挿入されたカード１がカード搬送路３２内を移動するようになっている。
【００４８】
カード搬送路３２上にはカード搬送手段２５が設けられている。カード搬送手段２５は、カード挿入口３３から挿入されたカード１をカード搬送路３２内の奥へ（フォワード方向へ）と搬送するか、又はカード１をフォワード方向とは反対方向（バックワード方向）へ搬送するものである。
【００４９】
カード搬送手段２５は、一般にカードリーダに用いられているカード搬送手段が用いられ、例えば、一対の第１ローラ３５、３６と一対の第２ローラ３７、３８とを少なくとも備える。
【００５０】
一対の第１ローラ３５、３６は、カード挿入口３３の近傍のカード搬送路３２上に設けられている。第１ローラ３５、３６の両方又は一方、例えば下方の第１ローラ３５は正逆回転可能な第１駆動ローラであり、残り（上方）の第１ローラ３６は駆動力を持たない第１ガイドローラである。これら第１駆動ローラ３５及び第１ガイドローラ３６は、カード挿入口３３から挿入されたカード１等を第１駆動ローラ３５と第１受動ローラ３６とで挟持しつつ第１駆動ローラ３５の回転駆動によりカード１をフォワード方向又はバックワード方向に搬送するように構成されている。
【００５１】
一対の第２ローラ３７、３８は、一対の第１ローラ３５、３６により搬送されたカード１を搬送し得るカード搬送路３２上に配置されている。一対の第１ローラ３５、３６と同様に、両方又は一方、例えば下方の第２ローラ３７は正逆回転可能な第２駆動ローラであり、残り（上方）の第２ローラ３８は駆動力を持たない第２ガイドローラである。これら第２駆動ローラ３７及び第２ガイドローラ３８６は、カード１を第２駆動ローラ３７と第２受動ローラ３８とで挟持しつつ第２駆動ローラ３７の回転駆動によりカード１をカード搬送路３２のさらに奥（本体３１内）へと又は第１ローラ３５、３６側へと搬送するように構成されている。
【００５２】
第１ローラ３５、３６と第２ローラ３７、３８との間のカード搬送路３２上には、記録・読取手段である磁気ヘッド２３及び低抗磁力検知手段である抗磁力センサ２１が設けられている。
【００５３】
記録・読取手段は、磁気ヘッド２３に限定されず、カード１の記録部５にデータを記録したり（書き込んだり）、記録部５に記録されたデータを読み取ったりすることができるものであれば他の手段を用いてもよい。
【００５４】
磁気ヘッド２３は、一般にカードリーダ等に用いられている磁気ヘッドと同じものが用いられる。磁気ヘッド２３は、例えば、第１ガイドローラ３６及び第２ガイドローラ３８側のカード搬送路３２上であって、搬送されるカード１の記録部５に対向する位置に設けられている。また、磁気ヘッド２３と対向するカード搬送路３２には、第３ガイドローラ４１が設けられており、搬送されるカード１の記録部５上の表面に磁気ヘッド２３が接触して（磁気ヘッド２３が記録部５を走査して）、磁気ヘッド２３によりデータの記録部５への書き込み又は記録部５からのデータの読み取りを行えるようになっている。
【００５５】
抗磁力センサ２１は、例えば、透磁率の大きさに応じて変化する電圧を測定するセンサである。抗磁力センサ２１としては、具体的には例えば、図８に示すように、空隙部８１を隔てて配置された２つの主磁極８２、８２に励磁コイル８３、８３と検出コイル８４を巻回すると共に、一方の主磁極（第１主磁極）８２の両端部に、他方の主磁極（第２主磁極）８２と反対方向に延びる補助コア部８５、８５をそれぞれ設けて磁気センサ部８６を構成するもの等が挙げられる。
【００５６】
２つの主磁極８２、８２の一端部が連結部８７を介して連結されて、２つの主磁極８２、８２と連結部８７とでほぼコ字状に形成されている。
【００５７】
励磁コイル８３、８３は、第１主磁極８２と第２主磁極８２とに互いに反対周りにそれぞれ個別に巻回されている。これら励磁コイル８３、８３には、交流電源（図示せず）が接続されており、交流電流が励磁コイル８３、８３にそれぞれ流れると、各主磁極８２、８２を通る磁束が互いに逆向きになって全体として閉ループの磁束Φ１が発生するようになっている。なお、励磁コイルは、第１主磁極８２と第２主磁極８２とにそれぞれ個別に２つ設けたが、これらコイルを直列に接続して１つのコイルとしてもよく、また、磁束Φ１が発生するならばどちらか一方の励磁コイルのみを設けるようにしてもよい。
【００５８】
検出コイル８４は、第１主磁極８２と第２主磁極８２とに互いに反対周りに巻回されると共に直列接続されて、つまり作動直列接続されて形成されている。検出コイル８４には、出力電圧を測定する電圧測定器（図示せず）が接続されている。
【００５９】
第１主磁極８２と第２主磁極８２とは、カード搬送路３２に対してほぼ平行に配置されていると共に、各主磁極８２を通る磁束が等しくなるように形成されている。
【００６０】
補助コア部８５、８５は、磁気センサ部８６を構成するものであり、補助コア部８５、８５の先端部がカード１のセキュリティ部６に接触又は近接することで、第１主磁極８２から各補助コア部８５、８５を通ってセキュリティ部６に向けて漏れる磁束Φ２が発生するように形成されている。磁束Φ２の漏れ具合はセキュリティ部６の透磁率によって変化するので、透磁率の大きさに応じて検出コイル８４の出力が変化する。セキュリティ部６の透磁率と磁気ストライプ６の抗磁力の大きさとの間には一定の関係があるので、予め抗磁力の大きさに対応する検出コイル８４の出力値を確認しておくことで、検出コイル８４の出力に基づいてセキュリティ部６の抗磁力を測定できる。
【００６１】
主磁極８２、８２及び補助コア部８５、８５は高透磁率磁性材料により一体的に形成されている。なお、主磁極８２、８２及び補助コア部８５、８５の形状は、磁気センサ部８６（補助コア部８５、８５の先端部）におけるカード１のセキュリティ部６の有無の検出電圧差から透磁率が測定できるならば、どのように構成してもよい。
【００６２】
抗磁力センサ２１は、どこに配置してもよいが、スペース等を考慮すると、磁気ヘッド２３と第２ガイドローラ３８との間の磁気ヘッド２３側のカード搬送路３２上であって、搬送されるカード１のセキュリティー部６に対応する位置に設けられている。また、抗磁力センサ２１と対向するカード搬送路３２には、第４ガイドローラ４２が設けられており、搬送されるカード１のセキュリティー部６上の表面に抗磁力センサ２１が接触して（抗磁力センサ２１がセキュリティー部６を走査して）、抗磁力センサ２１により低抗磁力が検出されるようになっている。
【００６３】
低抗磁力検知手段として抗磁力センサ２１を用いたが、カード１のセキュリティー部６の低抗磁力を検出できれば、他の手段、例えば、ＩＣチップ検知センサ等を用いてもよい。なお、抗磁力センサ２１を磁気ヘッド２３より第１ガイドローラ３６側に設けてもよい。
【００６４】
抗磁力センサ２１には、変換手段である変換回路２２が電気的に接続されている。変換回路２２は、抗磁力センサ２１からの電気信号をＡ／Ｄ変換してディジタル信号に変換してコード化するＡ／Ｄ変換回路である。このときのコード化は、どのように行ってもよいが、例えば、本発明のカード１のセキュリティー部６を抗磁力センサ２１を用いて走査（スキャン）すると、抗磁力センサ２１からの出力信号は、図４に示すように、記録媒体１固有のアナログ波形になる。このカード１毎に異なる固有データを、例えば、サンプリング００、０１、０２、０３・・・して、コード化してもよい。
【００６５】
変換回路２２には、判別手段である判別回路２４が電気的に接続されていると共に、読み取り・書き込み回路（Ｒ／Ｗ回路）２６が電気的に接続されている。
【００６６】
読み取り・書き込み回路２６は、磁気ヘッド２３に電気的に接続されていると共に判別回路２４に電気的に接続されている。
【００６７】
読み取り・書き込み回路２６は、変換回路２２からのコード化された信号を磁気ヘッド２３を介してカード１の記録部５にカード固有のデータとして書き込む（記録する）機能を有する。また、読み取り・書き込み回路２６は、カード１の記録部５に書き込まれたカード固有のデータを読み取り、判別回路２４に出力する機能を有するものである。
【００６８】
判別回路２４は、変換回路２２からの信号と読み取り・書き込み回路２６からの信号とを比較してカード１が真正か不正かを判別するものである。
【００６９】
（新規カードの発行）
次に、このカードリーダ２０を用いて新規カードを発行する場合について図６を用いて説明する。
【００７０】
図６（ｂ）に示すように、カード固有のデータが記録部５に書き込まれていない新規のカード１をカード挿入口３３から本体３１内に挿入する（ステップ５１）。挿入されたカード１は、図６（ｃ）に示すように、一対の第１ローラ３５、３６によってカード搬送路３２内（フォワード方向）に搬送され、一対の第２ローラ３７、３８間に送られる。このとき、カード１のセキュリティー部６上の表面に抗磁力センサ２１が接触又は近接する。これにより、抗磁力センサ２１によってセキュリティー部６が走査され、セキュリティー部６の低抗磁力が検出される（ステップ５２）。この検出信号（図４に示すカード１固有のアナログ波形や図５中のＡに示すアナログ波形等の信号）が、変換回路２２によりＡ／Ｄ変換されて（ステップ５３）、コード化されたデータ（信号）となり、読み取り・書き込み回路２６に出力される（ステップ５４）。
【００７１】
一対の第２ローラ３７、３８間に送られたカード１は、図６（ｄ）に示すように、一対の第２ローラ３７、３８によりカード挿入口３３方向（バックワード方向）に搬送される（戻される）。このとき、カード１の記録部５上の表面に磁気ヘッド２３が接触又は近接し、前記のコード化されたデータがカード固有のデータとして記録部５に書き込まれる（ステップ５５）。
【００７２】
カード固有のデータが書き込まれたカード１は、図６（ｅ）に示すように、カード挿入口３３から排出される（ステップ５６）。
【００７３】
なお、記録部５には、カード固有のデータの他に他のデータを書き込んでもよい。また、記録部５に予め記録させるカード固有のデータは、そのままでもよいが、特定のルールに従って暗号化し、この暗号化されたデータを記録部５に予め記録させてもよい。このようにすれば、さらに一層偽造や改ざんが困難となる。
【００７４】
（カード使用時）
次に、カードを使用する場合について図７を用いて説明する。
【００７５】
図７（ｂ）に示すように、カード１をカード挿入口３３から本体３１内に挿入する（ステップ６１）。挿入されたカード１は、図７（ｃ）に示すように、一対の第１ローラ３５、３６によってカード搬送路３２内へ（フォワード方向へ）と搬送され、一対の第２ローラ３７、３８間に送られる。このとき、カード１の記録部５に磁気ヘッド２３が接触又は近接すると共に、カード１のセキュリティー部６に抗磁力センサ２１が接触又は近接する。
【００７６】
これにより、磁気ヘッド２３によって記録部５が走査されて、記録部５に書き込まれている（記録されている）カード固有のデータが読み取られる（ステップ６２）。このデータ（信号）が読み取り・書き込み回路２６を介して判別回路２４に出力される（ステップ６３）。
【００７７】
他方、抗磁力センサ２１によってセキュリティー部６が走査され、セキュリティー部６の低抗磁力が検出される（ステップ６４）。この検出信号が、変換回路２２によりＡ／Ｄ変換されて（ステップ６５）、コード化された後、判別回路２４に出力される（ステップ６６）。
【００７８】
判別回路２４は、変換回路２２からの信号と読み取り・書き込み回路２６からの信号とを比較・照合して、カードが真正か不正かを判別する。すなわち、この判別回路２４は、変換回路２２からのデータ（信号）と、読み取り・書き込み回路２６からのデータ（信号）とに相関関係があるかを調べ、相関関係がある場合には、カード１が真正であると判別すると共に、相関関係がない場合にはカード１が不正であると判別する（ステップ６７）。
【００７９】
判別回路２４によってカード１が真正であると判別されると、カード１は、そのカードの通常の取引処理が行われる（ステップ６８）。他方、判別回路２４によってカード１が不正であると判別されると、カード１を今後つかえなくするカード廃札処理、例えば、カード１にパンチ孔をあける等の処理が行われる（ステップ６９）。カード廃札処理されたカードは、図７（ｄ）に示すように、一対の第２ローラ３７、３８によりカード挿入口３３方向（バックワード方向）に搬送され、図７（ｅ）に示すように、カード挿入口３３から排出される（ステップ７０）。
【００８０】
このように、カード１の判別は、セキュリティー部６に低抗磁力粒子７が分布されているため、カード１毎に異なる固有のデータを記録部５に記録させてカード１を発行し、このカード１を使用するときに、使用時のデータと発行前のデータとを比較してカード１が真正か不正かを判別するという方法によって行われるので、本発明の記録媒体（カード）１の真正か不正かを容易に判別できる。
【００８１】
なお、カードリーダ２０を用いて新規カードを発行する場合、カード１固有のコード化されたデータを記録部５に書き込んだ後、カード挿入口３３からカード１を排出するが、記録部５に書き込んだデータが正しいものかどうを確認してもよい。具体的には例えば、カード１固有のコード化されたデータを記録部５に書き込んだ後、前記カード１を使用する場合の一連の動作、すなわち、抗磁力センサ２１からのデータと記録部５に書き込まれたデータと比較して、記録部５に書き込んだデータが正しいものかどうかを確認し得る動作を行うようにしてもよい。
【００８２】
また、本発明のカードリーダ２０は、低抗磁力検知手段、例えば抗磁力センサ２１を用いて、カード（記録媒体）１毎に異なる固有の信号を検出するため、小型化を図れると共に低コスト化を図れる。
【図面の簡単な説明】
【００８３】
【図１】本発明の記録媒体の一例を示す図である。
【図２】本発明の記録媒体の他の例を示す図である。
【図３】本発明の記録媒体のセキュリティー部を抗磁力センサにより走査させる状態を示す概略斜視図である。
【図４】抗磁力センサからの出力信号の一例を示す図である。
【図５】本発明のカードリーダの一例を示す構成図である。
【図６】本発明のカードリーダを用いて本発明の記録媒体を発行する際の処理を示す図であり、（ａ）はフローチャート図、（ｂ）、（ｃ）、（ｄ）及び（ｅ）はカードの状態を示す図である。
【図７】本発明のカードリーダを用いて本発明の記録媒体の真贋を判別する際の処理を示す図であり、（ａ）はフローチャート図、（ｂ）、（ｃ）、（ｄ）及び（ｅ）はカードの状態を示す図である。
【図８】抗磁力センサの一例を示す概略構成図である。
【符号の説明】
【００８４】
１    記録媒体（カード）
２    基材
３    磁気記録層
４    印刷層
５    記録部
６    セキュリティー部
７    低抗磁力粒子（低抗磁力の磁性粒子）
８    低抗磁力層
２０  カードリーダ
２１  抗磁力センサ
２２  変換回路（変換手段）
２３  磁気ヘッド
２４  判別回路（判別手段）
２５  カード搬送手段
【図１】
2005129183.tif 000003
【図２】
2005129183.tif 000004
【図３】
2005129183.tif 000005
【図４】
2005129183.tif 000006
【図５】
2005129183.tif 000007
【図６】
2005129183.tif 000008
【図７】
2005129183.tif 000009
【図８】
2005129183.tif 000010